(57)【要約】【課題】コピー先の記録媒体においてコピー元と同様にコンテンツ管理動作を実行することができる映像記録再生装置及び映像記録再生プログラムを提供する。【解決手段】映像記録再生装置１は、記録媒体２Ａに格納されるコンテンツ情報２０Ａを読み書きする光学ドライブ部１０と、記録媒体２Ａに格納されるコンテンツ情報２０Ａのコピーを認証するコンテンツ管理サーバ３と通信する通信部１１と、記録媒体２Ａのコンテンツ情報２０Ａに含まれる制御情報２２Ａに基づいて通信部１１を介してコンテンツ管理サーバ３にコンテンツ情報２０Ａのコピー処理についての認証を取得する動作を実行し、認証取得後に、光学ドライブ部１０を介して記録媒体２Ａから記録媒体２Ｂに制御情報２２Ａとともに、コンテンツ情報２０Ａをコピーする制御部１４とを有する。【選択図】図２
2010055655.tif 000002
【特許請求の範囲】
【請求項１】
第１の記録媒体に格納されるコンテンツ情報を読み書きする記録再生部と、
前記第１の記録媒体に格納される前記コンテンツ情報のコピーを認証するコンテンツ管理サーバと通信する通信部と、
前記第１の記録媒体の前記コンテンツ情報に含まれる制御情報に基づいて前記通信部を介して前記コンテンツ管理サーバに前記コンテンツ情報のコピー処理についての認証を取得する動作を実行し、前記認証取得後に、前記記録再生部を介して前記第１の記録媒体から第２の記録媒体に前記制御情報とともに、前記コンテンツ情報をコピーする制御部とを有することを特徴とする映像記録再生装置。
【請求項２】
第１の記録媒体に格納されるコンテンツ情報を読み書きする記録再生部と、
前記第１の記録媒体に格納される前記コンテンツ情報のコピーを認証するコンテンツ管理サーバと通信する通信部と、
前記コンテンツ情報を記憶可能な記憶領域を有する記憶部と、
前記第１の記録媒体の前記コンテンツ情報に含まれる制御情報に基づいて前記通信部を介して前記コンテンツ管理サーバに前記コンテンツ情報のコピー処理についての認証を取得する動作を実行し、前記認証取得後に、前記記録再生部を介して前記第１の記録媒体から前記記憶部に前記制御情報とともに、前記コンテンツ情報をコピーする制御部とを有することを特徴とする映像記録再生装置。
【請求項３】
前記制御部は、ＡＣＣＳ（Ａｄｖａｎｃｅｄ  Ａｃｃｅｓｓ  Ｃｏｎｔｅｎｔ  Ｓｙｓｔｅｍ）に基づいて前記コンテンツ情報のコピーを実行することを特徴とする請求項１又は２に記載の映像記録再生装置。
【請求項４】
前記制御部は、前記記憶部の前記記憶領域にコピーされた前記コンテンツ情報に含まれる制御情報に基づいて、前記通信部を介して前記コンテンツ管理サーバに前記コンテンツ情報のコピー処理についての認証を取得する動作を実行し、前記認証取得後に、前記記憶部から前記記録再生部を介して第３の記録媒体に前記制御情報とともに、前記コンテンツ情報をコピーすることを特徴とする請求項２に記載の映像記録再生装置。
【請求項５】
前記制御部は、前記記憶部の前記記憶領域にコピーされた前記コンテンツ情報に含まれる制御情報に基づいて、前記通信部を介して前記コンテンツ管理サーバに前記コンテンツ情報のコピー処理についての認証を取得する動作を実行し、前記認証取得後に、前記記憶部から前記通信部を介して外部の映像記録再生装置に前記制御情報とともに、前記コンテンツ情報をコピーすることを特徴とする請求項２に記載の映像記録再生装置。
【請求項６】
前記制御部は、前記コンテンツ情報に含まれて前記コンテンツ情報のコピー履歴を示すコピー情報を更新してコピーすることを特徴とする請求項１又は２に記載の映像記録再生装置。
【請求項７】
第１の記録媒体に格納されるコンテンツ情報に含まれる制御情報に基づいてコンテンツ管理サーバと通信し、前記コンテンツ情報のコピー処理の認証を取得する認証ステップと、
前記第１の記録媒体から第２の記録媒体に前記制御情報とともに、前記コンテンツ情報をコピーするコピーステップとをコンピュータに実行させることを特徴とする映像記録再生プログラム。
【発明の詳細な説明】
【技術分野】
【０００１】
本発明は、映像記録再生装置及び映像記録再生プログラムに関する。
【背景技術】
【０００２】
従来、コンテンツ管理用のアプリケーションを起動するための制御情報をコンテンツ情報と同一フォーマットで記録した映像記録再生装置が知られている（例えば、特許文献１参照）。
【０００３】
この映像記録再生装置は、コンテンツ情報の光学記録媒体に対するコピー処理や、外部からのコンテンツ情報のダウンロード処理等のコンテンツ管理動作を実行するコンテンツ管理用のアプリケーションを実行するコンテンツ管理アプリケーション実行部を有し、例えば、コンテンツ管理用のアプリケーションを起動するための制御情報をコンテンツ情報が格納された光学記録媒体に記録することで、コンテンツ管理アプリケーション実行部は、コンテンツ情報の読み出し動作と同様の手続で制御情報を読み出してコンテンツ管理用のアプリケーションを起動することができ、コピー処理やダウンロード処理を効率化することができる。
【特許文献１】特開２００８−９８７６５号公報
【発明の開示】
【発明が解決しようとする課題】
【０００４】
しかし、従来の映像記録再生装置によると、コンテンツ管理用のアプリケーションを起動して、光学記録媒体から他の光学記録媒体に対してコンテンツ情報をコピーすることができるが、コンテンツ情報をコピーした他の光学記録媒体は、コンテンツ管理用のアプリケーションを起動するための制御情報を有していないため、コンテンツ情報をコピーした他の記録媒体からさらに他の記録媒体に対してコピー動作等を実行することができないという問題がある。
【０００５】
従って、本発明の目的は、コピー先の記録媒体においてコピー元と同様のコンテンツ管理動作を実行することができる映像記録再生装置及び映像記録再生プログラムを提供することにある。
【課題を解決するための手段】
【０００６】
（１）本発明の一実施形態は上記目的を達成するため、第１の記録媒体に格納されるコンテンツ情報を読み書きする記録再生部と、前記第１の記録媒体に格納される前記コンテンツ情報のコピーを認証するコンテンツ管理サーバと通信する通信部と、前記第１の記録媒体の前記コンテンツ情報に含まれる制御情報に基づいて前記通信部を介して前記コンテンツ管理サーバに前記コンテンツ情報のコピー処理についての認証を取得する動作を実行し、前記認証取得後に、前記記録再生部を介して前記第１の記録媒体から第２の記録媒体に前記制御情報とともに、前記コンテンツ情報をコピーする制御部とを有することを特徴とする映像記録再生装置。を提供する。
【０００７】
上記した構成によれば、制御情報に基づいた認証動作を経て第１の記録媒体から第２の記録媒体にコンテンツ情報をコピーする際に、制御情報を同時にコピーする構成としたため、第２記録媒体から他の記録媒体に対して、第１の記憶媒体と同様に制御情報に基づいた認証動作を経てコンテンツ情報をコピーすることができる。
【０００８】
（２）また、本発明は上記目的を達成するため、第１の記録媒体に格納されるコンテンツ情報を読み書きする記録再生部と、前記第１の記録媒体に格納される前記コンテンツ情報のコピーを認証するコンテンツ管理サーバと通信する通信部と、前記コンテンツ情報を記憶可能な記憶領域を有する記憶部と、前記第１の記録媒体の前記コンテンツ情報に含まれる制御情報に基づいて前記通信部を介して前記コンテンツ管理サーバに前記コンテンツ情報のコピー処理についての認証を取得する動作を実行し、前記認証取得後に、前記記録再生部を介して前記第１の記録媒体から前記記憶部に前記制御情報とともに、前記コンテンツ情報をコピーする制御部とを有することを特徴とする映像記録再生装置を提供する。
【０００９】
上記した構成によれば、制御情報に基づいた認証動作を経て第１の記録媒体から記憶部にコンテンツ情報をコピーする際に、制御情報を同時にコピーする構成としたため、記憶部から他の記録媒体に対して、第１の記録媒体と同様に制御情報に基づいた認証動作を経てコンテンツ情報をコピーすることができる。
【００１０】
（３）また、本発明は上記目的を達成するため、第１の記録媒体に格納されるコンテンツ情報に含まれる制御情報に基づいてコンテンツ管理サーバと通信し、前記コンテンツ情報のコピー処理の認証を取得する認証ステップと、前記第１の記録媒体から第２の記録媒体に前記制御情報とともに、前記コンテンツ情報をコピーするコピーステップとをコンピュータに実行させることを特徴とする映像記録再生プログラムを提供する。
【００１１】
上記した構成によれば、（１）と同様の効果を有するプログラムを達成することができる。
【発明の効果】
【００１２】
本発明によれば、コピー先の記録媒体において同様のコンテンツ管理動作を実行することができる。
【発明を実施するための最良の形態】
【００１３】
以下に、本発明の映像記録再生装置及び映像記録再生プログラムの実施の形態を、図面を参照して詳細に説明する。
【００１４】
［第１の実施の形態］
（映像記録再生装置の構成）
図１は、本発明の第１の実施の形態に係る映像記録再生装置の構成例を示す概略図である。
【００１５】
映像記録再生装置１は、記録媒体２Ａ（第１の記録媒体）、記録媒体２Ｂ（第２の記録媒体）、及び記録媒体２Ｃ（第３の記録媒体）に格納される情報の読み込み、及び記録媒体２Ａ〜２Ｃに対する情報の書き込みが可能で、インターネット４を介してコンテンツ管理サーバ３と接続されている。また、映像記録再生装置１は、内部にチューナ、信号処理ＬＳＩ（Ｌａｒｇｅ  Ｓｃａｌｅ  Ｉｎｔｅｇｒａｔｉｏｎ）、及びネットワークＩ／Ｆ（ＩｎｔｅｒＦａｃｅ）等の電子部品を格納し、外部ネットワークと接続するための図示しないＬＡＮ（Ｌｏｃａｌ  Ａｒｅａ  Ｎｅｔｗｏｒｋ）ポート、外部アンテナと接続されるアンテナ端子、及び外部機器と接続するためのＨＤＭＩポートやアナログ入力ポート等を有する。
【００１６】
記録媒体２Ａ〜２Ｃは、ＨＤ  ＤＶＤ（Ｈｉｇｈ−Ｄｅｆｉｎｉｔｉｏｎ  Ｄｉｇｉｔａｌ  Ｖｅｒｓａｔｉｌｅ  Ｄｉｓｃ）やＢＤ（Ｂｌｕ−ｒａｙ  Ｄｉｓｃ）等の光学記録媒体であり、映像や画像、音声等のコンテンツ情報を有する。ここで、記録媒体２Ａは、オリジナルのコンテンツ情報を有し、記録媒体２Ｂは、記録媒体２Ａからコピーされたコンテンツ情報を、記録媒体２Ｃは、記録媒体２Ｂからコピーされたコンテンツ情報をそれぞれ有する。コンテンツ管理サーバ３は、記録媒体２Ａ〜２Ｃに格納されるコンテンツ情報のコピー処理等の認証を行うための管理サーバである。
【００１７】
図２は、本発明の第１の実施の形態に係る映像記録再生装置の構成例を示すブロック図である。
【００１８】
映像記録再生装置１は、記録媒体２Ａ〜２Ｃの情報の読み出し及び書き込みを実行する光学ドライブ部１０（記録再生部）と、インターネット４を介して外部と通信する通信部１１と、ＨＤＤ（Ｈａｒｄ  Ｄｉｓｃ  Ｄｒｉｖｅ）やＳＳＤ（Ｓｏｌｉｄ  Ｓｔａｔｅ  Ｄｒｉｖｅ）等を用いて情報を記憶する記憶部１２と、外部の表示装置５に接続される表示処理部１３と、各部の動作を制御するとともにプログラムを動作させる制御部１４とを有する。
【００１９】
記憶部１２は、コンテンツ情報の複合動作等の許可を得るためのデバイス鍵１２０を有する。
【００２０】
制御部１４は、記憶媒体２Ａ〜２Ｃに格納されるコンテンツ情報及び再生装置自身がコピー可能かどうか判定するコピー判定部１４Ａと、通信部１１を介してコンテンツ管理サーバ３にコンテンツ情報のコピーに対する認証を得る認証部１４Ｂと、記録媒体２Ａ〜２Ｃに格納される情報の読み出し及び書き込み動作を実行するコピー実行部１４Ｃとを実行する。なお、コピー判定部１４Ａ、認証部１４Ｂ及びコピー実行部１４Ｃは、制御部１４内に設けられた図示しないフラッシュメモリ上に格納されるプログラムである。
【００２１】
図３は、本発明の第１の実施の形態に係るコンテンツ情報の構成例を示す概略図である。なお、コンテンツ情報２０Ａ〜２０Ｃは同様の構成を有するため、代表してコンテンツ情報２０Ａについて説明する。
【００２２】
コンテンツ情報２０Ａは、例えば、ＡＡＣＳ（Ａｄｖａｎｃｅｄ  Ａｃｃｅｓｓ  Ｃｏｎｔｅｎｔ  Ｓｙｓｔｅｍ）等の規格によって記述される情報であり、コンテンツの内容を識別するための固有情報であるコンテンツＩＤ２１Ａと、コンテンツ情報２０Ａのコピーを実行する際に制御部を動作させるための制御情報２２Ａと、映像や画像、音声等の情報であるコンテンツ２３Ａとを有する。ここで、制御情報２２Ａとは、コンテンツ管理サーバ３のＵＲＬ（Ｕｎｉｆｏｒｍ  Ｒｅｓｏｕｒｃｅ  Ｌｏｃａｔｏｒ）、及び再生しようとする機器がＡＣＣＳに含まれる機能であるマネージドコピーをサポートしているか判定するための処理が記述されている情報である。マネージドコピーは、例えば、記録媒体２Ａから記録媒体２Ｂにコンテンツ情報をコピーする際にコンテンツ管理サーバ３に認証を得てコピーすることで、コンテンツ配信元がユーザーに対してコンテンツのバックアップ等を目的として合法的にコピーを許可するための機能である。
【００２３】
また、コンテンツ情報２０Ａは、コンテンツＩＤ２１Ａ、制御情報２２Ａ、コンテンツ２３Ａの復号化に用いられるタイトル鍵を暗号化した暗号化タイトル鍵２４Ａと、記録媒体２Ａを識別するための固有情報であるメディアＩＤ２５Ａと、暗号化タイトル鍵２４Ａの復号化を許可するデバイス鍵の一覧を格納するメディアキーブロック２６Ａと、コンテンツ情報２０ＡのオリジナルとなるコンテンツＩＤやオリジナルからのコピー回数等の履歴を示す情報を格納するコピー情報２７Ａとを有する。暗号化タイトル鍵２４Ａは、メディアキーブロック２６Ａ及びデバイス鍵１２０によって復号化され、メディアＩＤ２５Ａとバインドされることでタイトル鍵となる。
【００２４】
なお、以上に挙げた構成の暗号化及び復号化は、ＡＡＣＳに基づいて実行されるが、ＣＰＲＭ（Ｃｏｎｔｅｎｔ  Ｐｒｏｔｅｃｔｉｏｎ  Ｒｅｃｏｒｄａｂｌｅ  Ｍｅｄｉａ）等を用いても良い。
【００２５】
図４は、本発明の第１の実施の形態に係る映像記録再生装置の表示例を示す概略図である。
【００２６】
映像記録再生装置１は、マネージドコピーをサポートしていれば表示装置５の表示画面５０上にコンテンツ表示画面５０Ａを表示する。コンテンツ表示画面５０Ａは、光学ドライブ部１０に挿入されている記録媒体２Ａ内のコンテンツ情報２０Ａ〜２０Ｃに対応するコンテンツ５１ａ〜５１ｂと、それぞれに対して視聴ボタン５１０及び購入ボタン５１１とを有する。視聴ボタン５１０は、コンテンツの再生動作に関連づけられており、購入ボタン５１１は、課金処理を経て、記録媒体２０Ｂや２０Ｃへコンテンツを書き込むコピー動作に関連づけられている。視聴ボタン５１０及び購入ボタン５１１は、映像記録再生装置１に付属する図示しないリモコン装置等により選択される。尚、購入ボタン５１１は映像再生装置１がマネージドコピーをサポートされていない場合には表示されない。
【００２７】
（動作）
以下に、第１の実施の形態における映像記録再生装置の動作を各図を参照しつつ説明する。
【００２８】
図５は、本発明の第１の実施の形態に係る映像記録再生装置の動作例を示す概略図である。
【００２９】
記録媒体２Ａを光学ドライブ部１０に挿入すると、図４に示すコンテンツ表示画面５０Ａが表示され、コンテンツ５１ａの購入ボタン５１１が選択されると、記録媒体２Ａに格納されるコンテンツ情報２０Ａ〜２０Ｃのうち、コンテンツ５１ａに該当するコンテンツ情報２０Ａのコピーが実行され、複製したことを履歴として残すためコピー情報２７Ａをコピー情報２７０に更新してコンテンツ情報２０Ａが記録媒体２Ｂにコピーされる。記録媒体２Ｂには、コンテンツ情報２０Ａとして、コンテンツＩＤ２１Ａ、制御情報２２Ａ、コンテンツ２３Ａとともに、新たに記録媒体２ＢのメディアＩＤ２５０、メディアキーブロック２６０、新たに生成された暗号化タイトル鍵２６０、及びコピー情報２７０が記録される。コピー動作の詳細については後述する。
【００３０】
次に、記録媒体２Ｂを光学ドライブ部１０に挿入し、コンテンツ情報２０Ａの購入操作が実行されると、記録媒体２Ｂに格納されるコンテンツ情報２０Ａのコピーが実行され、コピー情報２７０をコピー情報２７１に更新するとともに、新たに生成された暗号化タイトル鍵２４１、メディアＩＤ２５１、及びメディアキーブロック２６１が記録されて、コンテンツ情報２０Ａが記録媒体２Ｃにコピーされる。また、図５においては、コンテンツ情報２０Ａのみのコピー動作について説明したが、コンテンツ情報２０Ｂ、２０Ｃについても同様にコピー動作が行われる。なお、コピー動作は、複数のコンテンツ情報が同時にコピーされるものであってもよい。
【００３１】
図６は、本発明の第１の実施の形態に係る映像記録再生装置の動作例を示すフローチャートである。
【００３２】
まず、記録媒体２Ａが光学ドライブ部１０に挿入されると（Ｓ１）、コピー判定部１４Ａは、コンテンツ情報２０Ａを読み込む。ここで、コンテンツ情報２０Ａに制御情報２２Ａが存在して、映像記録再生装置１がマネージドコピーをサポートしている場合（Ｓ２；Ｙｅｓ）、認証部１４Ｂは、記録媒体２Ａのコンテンツ情報２０Ａからコピー情報２７Ａを取得し（Ｓ３）、通信部１１を介して制御情報２２Ａに記載されているコンテンツ管理サーバ３のＵＲＬに対してコピー情報２７Ａを送信する（Ｓ４）。
【００３３】
次に、コンテンツ管理サーバ３がコピー情報２７Ａに基づいてコピー処理について認証し、その結果コンテンツ管理サーバ３からコピー処理の許可を受信すると（Ｓ５）、コピー実行部１４Ｃは、図４に示すコンテンツ表示画面５０Ａを表示する（Ｓ６）。コンテンツ表示画面５０Ａにおいてマネージドコピーを実行するよう利用者によって操作がなされると（Ｓ７；Ｙｅｓ）、コピー実行部１４Ｃは、制御情報２２Ａを実行することでコンテンツ管理サーバ３に対してマネージドコピー要求を送信する（Ｓ８）。
【００３４】
次に、コピー実行部１４Ｃは、コピーするコンテンツ情報２０Ａに対する課金処理を実施する（Ｓ９）。ここで、課金処理とは、図示しない課金処理サーバにアクセスし、クレジットカードの番号を入力する等して支払いを完了した後、課金処理サーバから支払い完了の証明書を受信する一連の動作を示す。なお、課金処理方法は、プリペイドカードやＲＦ−ＩＤ等を用いたもの等、他の方法を用いても良い。また、課金処理は、コンテンツ配信者の設定に応じて省略してもよい。
【００３５】
次に、コピー実行部１４Ｃは、課金処理サーバから受信した証明書を用いて、コピー許可をコンテンツ管理サーバ３に要求し（Ｓ１０）、課金処理サーバからコピー許可を受信すると（Ｓ１１）、記録媒体２Ｂに対してコンテンツ情報２０Ａを書き込む（Ｓ１２）。なお、ステップＳ１２においてコンテンツ情報２０Ａを書き込む際、制御情報２２Ａをともに書き込む。
【００３６】
（第１の実施の形態の効果）
上記した第１の実施の形態によると、オリジナルのコンテンツ情報２０Ａを有する記録媒体２Ａから記録媒体２Ｂにマネージドコピーの規格に準じてコピーする際に、制御情報２２Ａをコピーする構成としたため、記録媒体２Ｂから、記録媒体２Ｃに対してマネージドコピーの規格に準じてコンテンツ情報２０Ａをコピーすることができる。
【００３７】
［第２の実施の形態］
図７は、本発明の第２の実施の形態に係る映像記録再生装置の動作例を示す概略図である。なお、以下の説明において、第１の実施の形態と同一の構成、及び機能を有する部分については共通の符号を付している。
【００３８】
記録媒体２Ａを光学ドライブ部１０に挿入すると、図４に示すコンテンツ表示画面５０Ａが表示され、コンテンツ５１ａの購入ボタン５１１が選択されると、記録媒体２Ａに格納されるコンテンツ情報２０Ａ〜２０Ｃのうち、コンテンツ５１ａに該当するコンテンツ情報２０Ａのコピーが実行され、コピー情報２７Ａをコピー情報２７２に更新してコンテンツ情報２０Ａが記憶部１２の記憶領域にコピーされる。
【００３９】
記憶部１２で実施する暗号方式については、記録再生装置１に依存する処理になるが、本実施例ではＡＡＣＳで保護するものとする。尚、メディアＩＤ２５２についてはＢＣＡ上ではなく記憶部１２上にファイルを作成して使用する。さらに暗号化タイトル鍵２４２についても、作成したメディアＩＤ２５２をもとに再暗号化する。
【００４０】
次に、情報が記録されていない記録媒体２Ｃを光学ドライブ部１０に挿入し、映像記録再生装置１においてコンテンツ情報２０Ａの購入操作が実行されると、記憶部１２に格納されたコンテンツ情報２０Ａのコピーが実行され、コピー情報２７２をコピー情報２７３に更新してコンテンツ情報２０Ａが記録媒体２Ｃにコピーされる。なお、暗号化タイトル鍵２４３についてはメディアＩＤ２５３を用いて再暗号化する。
【００４１】
（第２の実施の形態の効果）
上記した第２の実施の形態によると、記録媒体に限らず映像記録再生装置内に設けられた記憶部１２の記憶領域に対してコンテンツ情報２０Ａをコピーする際に、又記憶部１２から記録媒体２Ｃの記憶領域に対してコンテンツ情報２０Ａをコピーする際に、第１の実施の形態と同様の効果を得られる。
【００４２】
［第３の実施の形態］
図８は、本発明の第３の実施の形態に係る映像記録再生装置の構成例を示す概略図である。
【００４３】
第３の実施の形態では、第１の実施の形態で説明した映像記録再生装置１と同一の構成を有する映像記録再生装置１Ａと、映像記録再生装置１ＡにＨＤＭＩケーブル６を介して接続される映像記録再生装置１Ｂとを有する。
【００４４】
ここで、映像記録再生装置１ＡはＨＤＭＩケーブル５によって接続されるソース機器であり、映像記録再生装置１Ｂはシンク機器である。また、映像記録再生装置１Ａは、記憶部１２Ａを有し、映像記録再生装置１Ｂは、記憶部１２Ｂを有する。映像記録再生装置１Ａは、例えば、記憶部１２Ａに格納されるコンテンツ情報をストリーミング等により映像記録再生装置１Ｂにおいて再生することができる。
【００４５】
また、映像記録再生装置１Ａ及び１Ｂは、インターネット４を介してコンテンツ管理サーバ３と接続されている。
【００４６】
図９は、本発明の第３の実施の形態に係る映像記録再生装置の動作例を示す概略図である。
【００４７】
記録媒体２Ａを映像記録再生装置１Ａの光学ドライブ部１０に挿入すると、図４に示すコンテンツ表示画面５０Ａが表示され、コンテンツ５１ａの購入ボタン５１１が選択されると、記録媒体２Ａに格納されるコンテンツ情報２０Ａ〜２０Ｃのうち、コンテンツ５１ａに該当するコンテンツ情報２０Ａのコピーが実行され、コピー情報２７Ａをコピー情報２７４に更新してコンテンツ情報２０Ａが記憶部１２にコピーされる。
【００４８】
次に、映像記録再生装置１Ｂにおいて映像記録再生装置１Ａと通信し、コンテンツ情報２０Ａの購入操作が実行されると、映像記録再生装置１Ａの記憶部１２Ａに格納されるコンテンツ情報２０Ａが記憶部１２Ｂに通常コピーされた後、マネージドコピーによって、コピー情報２７４をコピー情報２７５に更新してコンテンツ情報２０Ａが映像記録再生装置１Ｂの記憶部１２から記憶媒体２Ｃに対してにコピーされる。なお、記憶部１２Ｂにコピーされたコンテンツ情報２０Ａは、記憶媒体２Ｃに対するコピー動作の完了後、消去される。
【００４９】
（第３の実施の形態の効果）
上記した第３の実施の形態によると、ネットワーク接続された映像記録再生装置を遠隔操作することによってマネージドコピーを用いたコンテンツ情報のコピーが可能となる。
【００５０】
なお、本発明の第１〜第３の実施の形態に示す構成を用いることで、例えば、利用者は、レンタルによって貸し出された記憶媒体２Ａを映像記録再生装置１で視聴し、気に入った場合はコンテンツ情報２０Ａを購入してマネージドコピーすることで記録媒体２Ｂを得ることができる。また、利用者が記憶媒体２Ａを返却後に、所有する記録媒体２Ｂを視聴した他の利用者がコンテンツ情報２０Ａを気に入った場合は、他の利用者は、コンテンツ情報２０Ａを購入して記憶媒体２Ａからマネージドコピーすることで記録媒体２Ｃを得ることができる。以上のように、オリジナルの記録媒体２Ａから派生した記録媒体２Ｂ、２Ｃからもマネージドコピーを可能にしたことで、コンテンツ情報２０Ａを安全かつ連鎖的に普及させることが可能となる。
【図面の簡単な説明】
【００５１】
【図１】本発明の第１の実施の形態に係る映像記録再生装置の構成例を示す概略図である。
【図２】本発明の第１の実施の形態に係る映像記録再生装置の構成例を示すブロック図である。
【図３】本発明の第１の実施の形態に係るコンテンツ情報の構成例を示す概略図である。
【図４】本発明の第１の実施の形態に係る映像記録再生装置の表示例を示す概略図である。
【図５】本発明の第１の実施の形態に係る映像記録再生装置の動作例を示す概略図である。
【図６】本発明の第１の実施の形態に係る映像記録再生装置の動作例を示すフローチャートである。
【図７】本発明の第２の実施の形態に係る映像記録再生装置の動作例を示す概略図である。
【図８】本発明の第３の実施の形態に係る映像記録再生装置の構成例を示す概略図である。
【図９】本発明の第３の実施の形態に係る映像記録再生装置の動作例を示す概略図である。
【符号の説明】
【００５２】
１…映像記録再生装置、１Ａ…映像記録再生装置、１Ｂ…映像記録再生装置、３…コンテンツ管理サーバ、２Ａ…記録媒体、２Ｂ…記録媒体、２Ｃ…記録媒体、４…インターネット、５…表示装置、６…ＨＤＭＩケーブル、１０…光学ドライブ部、１１…通信部、１２…記憶部、１２Ａ、１２Ｂ…記憶部、１２０…デバイス鍵、１３…表示処理部、１４…制御部、１４Ａ…コピー判定部、１４Ｂ…認証部、１４Ｃ…コピー実行部、２０Ａ-２０Ｃ…コンテンツ情報、２１Ａ…コンテンツＩＤ、２２Ａ…制御情報、２３Ａ…コンテンツ、２４Ａ…暗号化タイトル鍵、２５Ａ…メディアＩＤ、２６Ａ…メディアキーブロック、２７Ａ…コピー情報、２７０〜２７５…コピー情報、５０…表示画面、５０Ａ…コンテンツ表示画面、５１ａ-５１ｂ…コンテンツ、５１０…視聴ボタン、５１１…購入ボタン
【図１】
2010055655.tif 000003
【図２】
2010055655.tif 000004
【図３】
2010055655.tif 000005
【図４】
2010055655.tif 000006
【図５】
2010055655.tif 000007
【図６】
2010055655.tif 000008
【図７】
2010055655.tif 000009
【図８】
2010055655.tif 000010
【図９】
2010055655.tif 000011